【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
流体バッグからの流体を、動物を収容する動物ケージ装置に送出するための流体送出弁組立体であって、
流体チャネルを構成する中空部材を有し、この中空部材は、水をケージに送出するための近位端部と、水を流体バッグから前記流体チャネルを通して動物ケージ装置に送出するように流体バッグと協働する遠位端部と、を有し、
更に、前記流体チャネル内の一部分に配置されたステム部材を有し、このステム部材は、その遠位端のところに位置する上面と、前記中空部材の近位端部のところ又はその周りに位置する近位端部と、を有し、
更に、前記流体チャネル内に配置されたスプリング要素を有し、
前記スプリング要素の一部分は、前記ステム部材に付勢力を付与するために前記ステム部材と相互作用し、
更に、流体が前記流体チャネルの中を流れることを防止するために、前記ステム部材の上面と当接するように前記流体チャネル内に配置されたシール部材を有し、このシール部材は、動物による前記ステム部材の近位端部の変位に応答して、前記流体チャネル内の流体の流れを生じさせるように設計され且つ寸法決めされる、流体送出弁組立体。
【請求項２】
前記中空部材は、上方部材とベースとを有し、
前記上方部材は、穿刺部材と、連結部材と、前記上方部材を貫くように構成された流体チャネルと、を有し、
前記ベースは、フランジ部材と、それを貫くように構成されたベース流体チャネルと、を有し、前記ベースは、前記上方部材に噛合い式に連結されるように設計される、請求項１に記載の流体送出弁組立体。
【請求項３】
前記スプリング要素の一部分は、付勢力を付与するために前記ステム部材の一部分に当接する、請求項１に記載の流体送出弁組立体。
【請求項４】
前記シール部材は、流路孔を有し、前記シール部材は、ステム部材の変位に応答して、流路孔内の流体の流れを生じさせるように設計され且つ寸法決めされる、請求項１に記載の流体送出弁組立体。
【請求項５】
前記シール部材の近位面は、それから延びる下方隆起部を有し、この下方隆起部は、流体が前記流体チャネルの中を流れることを防止するために、スプリング部材からの付勢力が集中するように設計され且つ寸法決めされる、請求項２に記載の流体送出弁組立体。
【請求項６】
前記ステム部材は、動物が前記ステム部材を押したとき、流体の流れを選択的に生じさせるように設計され且つ寸法決めされる、請求項１に記載の流体送出弁組立体。
【請求項７】
前記ステム部材は、動物が前記ステム部材を押したとき、流体の流れを選択的に生じさせるように設計され且つ寸法決めされる、請求項２に記載の流体送出弁組立体。
【請求項８】
前記中空部材は、フランジ部材を有し、このフランジ部材は、前記中空部材に対して実質的に垂直である、請求項１に記載の流体送出弁組立体。
【請求項９】
更に、孔あけ用刃と、前記中空部材の遠位端に形成された傾斜先端部と、を有し、前記孔あけ用刃は、実質的に傾斜し、それにより、前記中空部材が流体バッグを孔あけして流体バッグに入ることを可能にすると共に、流体が前記流体チャネルの中を流れることを可能にする、請求項１に記載の流体送出弁組立体。
【請求項１０】
前記流体チャネルの一部分は、前記スプリング部材が前記ベース流体チャネルを完全に通り抜けることを防止するようにテーパにされ、それにより、前記流体チャネル内の前記スプリング部材の圧縮を生じさせる、請求項１に記載の流体送出弁組立体。
【請求項１１】
前記中空部材は、第１のグリップ部分を有する遠位部材と、第２のグリップ部分を有するベースと、を有し、第１のグリップ部分及び第２のグリップ部分は、前記遠位部材と前記ベースとの摩擦嵌めによる連結を生じさせるように設計され且つ寸法決めされる、請求項１に記載の流体送出弁組立体。
【請求項１２】
前記中空部材は高圧消毒可能材料で形成される、請求項１に記載の流体送出弁組立体。
【請求項１３】
前記中空部材は金属材料で形成される、請求項１に記載の流体送出弁組立体。
【請求項１４】
前記フランジ部材はほぼ円形である、請求項８に記載の流体送出弁組立体。
【請求項１５】
前記中空部材は、更に、当接壁を有し、前記当接壁は、流体の流れが所定量を超えないように前記ステム部材の移動を制限するように設計され且つ寸法決めされる、請求項１に記載の流体送出弁組立体。
【請求項１６】
前記中空部材は、更に、延長部分を有し、前記延長部分は、前記ステム部材に動物が不意にぶつかることを防止するように設計され且つ寸法決めされた長さを有する、請求項１に記載の流体送出弁組立体。
【請求項１７】
動物を収容する動物ケージ装置に流体を送出するための流体送出装置であって、
流体バッグと、流体送出弁組立体と、を有し、
前記流体送出弁組立体は、流体チャネルを構成する中空部材を有し、この中空部材は、水をケージに送出するための近位端部と、水を流体バッグから前記流体チャネルを通して動物ケージ装置に送出するように流体バッグと協働する遠位端部と、を有し、
前記流体送出弁組立体は、更に、前記流体チャネル内の一部分に配置されたステム部材を有し、このステム部材は、その遠位端のところに位置する上面と、前記中空部材の近位端部のところ又はその周りに位置する近位端部と、を有し、
前記流体送出弁組立体は、更に、前記流体チャネル内に配置されたスプリング要素を有し、
前記スプリング要素の一部分は、前記ステム部材に付勢力を付与するために前記ステム部材と相互作用し、
前記流体送出弁組立体は、更に、流体が前記流体チャネルの中を流れることを防止するために、前記ステム部材の上面と当接するように前記流体チャネル内に配置されたシール部材を有し、このシール部材は、動物による前記ステム部材の近位端部の変位に応答して、前記流体チャネル内の流体の流れを生じさせるように設計され且つ寸法決めされる、流体送出装置。
【請求項１８】
前記中空部材は、上方部材とベースとを有し、
前記上方部材は、穿刺部材と、連結部材と、前記上部材を貫くように構成された流体チャネルと、を有し、
前記ベースは、フランジ部材と、それを貫くように構成されたベース流体チャネルと、を有し、前記ベースは、前記上方部材に噛合い式に連結されるように設計される、請求項１７に記載の流体送出装置。
【請求項１９】
前記スプリング要素の一部分は、付勢力を付与するために前記ステム部材の一部分に当接する、請求項１７に記載の流体送出装置。
【請求項２０】
前記シール部材は、流路孔を有し、前記シール部材は、ステム部材の変位に応答して、流路孔内の流体の流れを生じさせるように設計され且つ寸法決めされる、請求項１７に記載の流体送出装置。
【請求項２１】
前記流体バッグは、可撓性ポリマー材料で形成された水バッグを含む、請求項１７に記載の流体送出装置。
【請求項２２】
動物を収容する動物ケージ装置に流体を送出するための流体送出装置であって、
本体を有する流体送出弁組立体を有し、前記本体は、穿刺部材と、連結部材と、前記本体を貫通するように構成された流体チャネルと、フランジ部材と、それを貫通する流体チャネルと、を有し、
更に、前記流体チャネル内に配置されたスプリング要素と、
前記流体チャネル内の一部分に配置されたステム部材を有し、このステム部材は、前記スプリング要素を貫いて延びる作動部分と、下面を有する頂部分と、を有し、
前記スプリング要素の一部分は、前記ステム部材に付勢力を付与するために前記下面に当接し、
更に、前記流体チャネル内に配置されたシール部材を有し、このシール部材は、流路孔と、底面と、を有し、前記シール部材は、その底面が前記ステム部材の頂面に当接するときに前記流路孔のシールを生じさせるように設計され且つ寸法決めされ、
前記流体送出弁組立体は、動物ケージ装置に流体を供給するように流体バッグに連結される、流体送出装置。